(57)【要約】【課題】窓部Ｗ用のシャッター装置１において、巻取りドラム４が支持されるブラケット部３の屋外側突出量を抑制しながら、窓部Ｗの有効開口幅を広く確保できるようにする。【解決手段】ブラケット部３を構成するブラケット本体部１３ａを、左右支柱２の内側面２ａに対向する内側面部１３ｈと、前記支柱２の屋外側面２ｂに対向し、左右方向外端部が支柱屋外側面２ｂの左右方向幅内に位置する横板面部１３ｇと、該横板面部１３ｇの左右方向外端部から屋外側に向けて突出する外側面部１３ｉとを備えて構成し、前記巻取りドラム４を外側面部１３ｉに支持するようにする。【選択図】図５
2020029657.tif 000002
【特許請求の範囲】
【請求項１】
建造物の窓部を開閉するため建て付けられる窓用のシャッター装置であって、該シャッター装置を、窓部の上方に取付けられるブラケット部と、該ブラケット部に支持される巻取りドラムと、該巻取りドラムに巻装されるシャッターカーテンと、該シャッターカーテンの開閉案内をするべく窓部の左右に設けられるガイドレールとを備えて構成するにあたり、
前記ブラケット部は、該ブラケット部が取付けられる取付け部に配した左右縦枠部の左右方向内側面に対向する第一面部と、前記縦枠部の屋外側面に対向し、左右方向外端部が縦枠部屋外側面の左右方向幅内に位置する第二面部と、該第二面部の左右方向外端部から屋外側に向けて突出する第三面部とを備えて構成され、前記巻取りドラムは第三面部に支持されることを特徴とする窓用のシャッター装置。
【請求項２】
シャッターカーテンは、左右幅が左右縦枠部の左右内幅寸法よりも幅狭に設定されていることを特徴とする請求項1記載の窓用のシャッター装置。
【請求項３】
シャッターカーテンは、巻取りドラムに最も巻装されたときの外周部の屋内側端部が縦枠部の屋外側面よりも屋内側に入り込むように設定されていることを特徴とする請求項２記載の窓用のシャッター装置。
【請求項４】
ブラケット部は、前記取付け部に屋外側から取付けられる本体取付け部と、該本体取付け部に屋外側から取付けられる本体部とを備え、該本体部は、前記第一面部である内側面部と、第二面部である横板面部と、第三面部である外側面部とを備えていることを特徴とする請求項１乃至３の何れか１記載の窓用のシャッター装置。
【請求項５】
内側面部は、シャッターカーテンの左右方向外端部よりも左右方向内側に配され、横板面部は、シャッターカーテンが巻取りドラムに最も巻装されたときの外周部の屋内側端部よりも屋外側に配され、内側面部および横板面部には、前記巻取りドラムに巻き取られたシャッターカーテンの外周部が入り込むための開口が形成されていることを特徴とする請求項４記載の窓用のシャッター装置。
【発明の詳細な説明】
【技術分野】
【０００１】
本発明は、住宅等の建造物の窓部に建て付けられる窓用のシャッター装置の技術分野に関するものである。
【背景技術】
【０００２】
今日、住宅等の建造物の窓部に設けられるサッシ戸の屋外側に、雨戸の代わりとして開閉自在な窓用のシャッター装置を建て付けることが多用されているが、一般に建築用のシャッター装置は、開口部上方に設けられるブラケット部と、該ブラケット部に支持される巻取りドラムと、該巻取りドラムに巻装されるシャッターカーテンと、該シャッターカーテンの開閉案内をするガイドレールとを備えたものとして構成される。このようなシャッター装置を窓部に取付ける場合、従来のものは、前記ブラケット部を、窓部の上方に配される外壁面に対して張出し状に設けるのが一般的であったが、このようにしたとき、ブラケット部の屋外側への突出量（出寸法、張出し量）が大きいものになって外観性が損なわれるだけでなく、邪魔になる場合もあって突出量をできるだけ抑えた（小さくした）ものにしてほしいという要望がある。
そこでブラケット部を、窓部の上方に設けられる取付け部を構成している左右縦枠（一般に、窓部の左右支柱が延長されたものになることが多い。）に対し、該縦枠の屋外側面よりも内側（屋内側）に入り込む状態で組み込むようにし、これによりブラケット部の屋外側への突出量を抑えるようにしたものが提唱されている（例えば特許文献１参照。）。
ところでこのものは、縦枠に、ブラケット部を組み込むための凹溝を形成しているが、このようにした場合、縦枠自体に凹溝を加工する必要があり作業性が損なわれるうえ、凹溝形成により縦枠の強度が低下し、さらにはブラケット部と凹溝とのあいだの隙間から雨水が浸入する等の問題がある。
そこでブラケット部を、縦枠の左右方向内側面内に入り込む（嵌入する）構成にし、これにより縦枠には凹溝を形成する必要がないものにしてブラケット部の屋外側への突出量を抑えるようにしたものが提唱されている（例えば特許文献２参照。）。
【先行技術文献】
【特許文献】
【０００３】
【特許文献１】特開平６−３０７１７１号公報
【特許文献２】特開２００１−２９５５６６号公報
【発明の概要】
【発明が解決しようとする課題】
【０００４】
ところが前記縦枠の屋外側面よりも内側にブラケット部を入り込ませる構成にした場合、該ブラケット部は、左右の縦枠の左右方向内幅内に納まる構造になるためブラケット部の左右対向幅（対向間隔）が狭いものとなり、これに追随してブラケット部に支持される巻取りドラムについても左右幅（長さ）が狭いものになる。この結果、巻取りドラムに巻装されるシャッターカーテンについても、幅狭になった巻取りドラムに合わせて左右幅狭なものとなって窓部の実質的な開口幅（有効開口幅、間口幅）が狭くならざるを得ず、このものを採用した場合、ブラケット部の屋外側突出量を小さくすることを、窓部の有効開口幅を狭くするという犠牲を払うことにより実現したものになってしまうという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、建造物の窓部を開閉するため建て付けられる窓用のシャッター装置であって、該シャッター装置を、窓部の上方に取付けられるブラケット部と、該ブラケット部に支持される巻取りドラムと、該巻取りドラムに巻装されるシャッターカーテンと、該シャッターカーテンの開閉案内をするべく窓部の左右に設けられるガイドレールとを備えて構成するにあたり、前記ブラケット部は、該ブラケット部が取付けられる取付け部に配した左右縦枠部の左右方向内側面に対向する第一面部と、前記縦枠部の屋外側面に対向し、左右方向外端部が縦枠部屋外側面の左右方向幅内に位置する第二面部と、該第二面部の左右方向外端部から屋外側に向けて突出する第三面部とを備えて構成され、前記巻取りドラムは第三面部に支持されることを特徴とする窓用のシャッター装置である。
請求項２の発明は、シャッターカーテンは、左右幅が左右縦枠部の左右内幅寸法よりも幅狭に設定されていることを特徴とする請求項1記載の窓用のシャッター装置である。
請求項３の発明は、シャッターカーテンは、巻取りドラムに最も巻装されたときの外周部の屋内側端部が縦枠部の屋外側面よりも屋内側に入り込むように設定されていることを特徴とする請求項２記載の窓用のシャッター装置である。
請求項４の発明は、ブラケット部は、前記取付け部に屋外側から取付けられる本体取付け部と、該本体取付け部に屋外側から取付けられる本体部とを備え、該本体部は、前記第一面部である内側面部と、第二面部である横板面部と、第三面部である外側面部とを備えていることを特徴とする請求項１乃至３の何れか１記載の窓用のシャッター装置である。
請求項５の発明は、内側面部は、シャッターカーテンの左右方向外端部よりも左右方向内側に配され、横板面部は、シャッターカーテンが巻取りドラムに最も巻装されたときの外周部の屋内側端部よりも屋外側に配され、内側面部および横板面部には、前記巻取りドラムに巻き取られたシャッターカーテンの外周部が入り込むための開口が形成されていることを特徴とする請求項４記載の窓用のシャッター装置である。
【発明の効果】
【０００６】
請求項１の発明とすることにより、ブラケット部は、第一面部が取付け部を構成する左右縦枠の屋外側面よりも入り込んだものにして、ブラケット部の屋外側突出量を小さく抑制できながら、巻取りドラムは、左右縦枠の内側面よりも左右方向幅広に設定される第三面部間に支持されることになる結果、窓部の有効開口幅を、巻取りドラムを左右縦枠の内側面間に支持した場合のように狭いものにする必要がなく広いものにできることになる。
請求項２の発明とすることにより、シャッターカーテンを、前記左右縦枠の内側面間よりも幅広な巻取りドラムに巻装されたものとしながら、左右縦枠には当接しない状態で、屋内側に寄せた状態での配設ができ、これによって、ブラケット部の屋外側突出量を抑制しながら窓部の有効開口幅を広く確保できることになる。
請求項３の発明とすることにより、シャッターカーテンを、左右縦枠の屋外側面よりも屋内側に入り込んだものにして、ブラケット部の屋外側突出量を、より抑制した状態で窓部の有効開口幅を広く確保できることになる。
請求項４の発明とすることにより、ブラケット部は、前記第一、第二、第三の面部に相当する面部を有したものとしながら、取付け部に取付けられた本体取付け部に、これら面部を備えた本体部を屋外側から取付けることでよいことになり、この結果、ブラケット部の組付けが容易になる。
請求項５の発明とすることにより、巻取りドラムに巻装されたシャッターカーテンを、左右幅広にし、かつ屋内側に位置するようにして、窓部の有効開口幅の確保及びブラケット部の屋外側突出量の抑制を図りながら、本体部を構成する内側面部、横板面部に設けた第一、第二開口にシャッターカーテンが入り込むことになって、内側面部、横板面部に干渉することがないものにできる。
【図面の簡単な説明】
【０００７】
【図１】窓用シャッター装置の正面図である。
【図２】窓用シャッター装置の側面図である。
【図３】窓用シャッター装置のブラケット部位の正面図である。
【図４】窓用シャッター装置の縦断面図である。
【図５】窓用シャッター装置のブラケット部の横断面図である。
【図６】窓用シャッター装置のガイドレール部の横断面図である。
【図７】窓用シャッター装置のブラケット部の分解側面図である。
【図８】窓用シャッター装置のブラケット部の分解平面図である。
【図９】（Ａ）（Ｂ）（Ｃ）は本体取付け部の正面図、側面図、平面図である。
【図１０】（Ａ）（Ｂ）は本体取付け部の断面側面図、断面平面図である。
【図１１】（Ａ）（Ｂ）（Ｃ）は駆動側本体部の側面図、平面図、正面図である。
【図１２】（Ａ）（Ｂ）（Ｃ）は従動側本体部の側面図、平面図、正面図である。
【図１３】（Ａ）（Ｂ）（Ｃ）はブラケット本体部の側面図、底面図、正面図である。
【図１４】（Ａ）（Ｂ）は外部カバー部の一部切欠き正面図、底面図である。
【発明を実施するための形態】
【０００８】
以下、本発明の実施の形態について、図面に基づいて説明する。図面において、１は窓用のシャッター装置であって、該シャッター装置１は、住宅等の建造物に設けた上下方向（縦方向）に長い左右支柱（縦枠、窓支柱）２間に設けられる開口部としての窓部Ｗの開閉を行うため建て付けられるものであり、後述するように、窓部Ｗの上方に位置する状態で前記左右の支柱２間に支持される（配される、設けられる）ブラケット部３と、該ブラケット部３に支持される巻取りドラム４と、該巻取りドラム４に巻装されるシャッターカーテン５と、該シャッターカーテン５の開閉案内をするガイドレール６と、前記巻取りドラム４に連動連結され、シャッターカーテン５の電動による開閉作動を行うための開閉機７とを備えて構成された電動式のものであること等は何れも従来通りである。因みに本発明は、開閉機７のない手動式のものとしても実施できることは言うまでもない。また、５ａはシャッターカーテン５を構成するスラット、５ｂはシャッターカーテン５の最下端の座板である。
そして本実施の形態において、左右支柱２は、その上下方向適宜高さにおいて左右方向（横方向）を向くようにして設けられる上下枠８、９と、該上下枠８、９のあいだの中間位置（高さ）に設けられる中間枠（無目）１０とを用いて上下二段の枠組み形成がなされ、そのうち、左右支柱２、中間枠１０、下枠９によって形成される下側の四周枠が窓部Ｗを構成するための窓枠となり、該窓部Ｗに、開閉自在なサッシ戸装置（図面では、サッシ戸自体を省略したものが図示されている。）１１が組み込まれたものになっており、該サッシ戸装置１１の屋外側を開閉するよう本発明が実施されたシャッター装置１が建て付けられている。
【０００９】
一方、前記窓部Ｗの上側には、左右支柱２、上枠８、中間枠１０によって四周枠状に囲撓形成された取付け部Ｖが空間状になって設けられるが、前記ブラケット部３は、取付け部Ｖに対して屋外側から組み付けられる本体取付け部１２と、該本体取付け部１２に対して屋外側から組み付けられる本体部１３と、さらに該本体部１３に対して屋外側から組み付けられる外部カバー部１４とを用いて構成されたものとなっており、前記ガイドレール６は、窓部Ｗに対応する部位の支柱２に対して屋外側に配され（設けられ）ており、以下、これらについて説明する。
【００１０】
まず前記本体取付け部１２は、上面板１５、下面板１６、左右の側面板１７、背面板（屋内側板）１８を用いて屋外側が開口した箱状体として構成されているが、上面板１５の屋外側端部（前端部）には中空部（ホロー状部）１５ａが形成され、該中空部１５ａには、上枠８に屋外側から挿入する固定金物（例えばビス（螺子（スクリュー螺子））、釘、リベット、ボルト・ナット等、一般に使用される適宜の固定用の金物（金具）であって、以下、この種の金物を全て「固定金物」と総称する。そして固定金物については、以降、主だったものを除いて記載を省略する。）５０を介して固定するための固定片１５ｂが上端部に突設され、前端部には、後述するように外部カバー部１４の上端部を係止するための係止受け部１５ｃが形成されている。さらに上面板１５の屋内側端縁部は下方に向けて折曲された背面部１５ｄが設けられ、該背面部１５ｄが左右両側から後述する取付け部側面板１７に固定されている。
【００１１】
一方、下面板１６は、屋内側端縁部が側面板１７と共に固定されるが、下面板１６には、中間枠１０に屋外側から挿入する固定金物５０ａを介して固定するための固定片１６ａが形成されている。尚、下面板１６は、背面板１８と重合するようにして屋内側端縁から上方向に向けて起立形成され、該起立形成された部位に開閉機７から引出されるコード（配線）７ｃを貫通配線するための貫通孔１６ｂが形成されている。
また左右両側面板１７は、左右支柱２の左右方向屋内側面２ａに当接状（近接状）に対向する第一面板部１７ａと、該第一面板部１７ａの屋外側端縁部が左右方向外方に向けて折曲されて、左右支柱２の屋外側面２ｂに当接状（近接状）に対向する第二面板部１７ｂと、該第二面板部１７ｂの左右方向外端縁部から屋外側に向けて折曲される第三面板部１７ｃとを備えて構成されるが、本実施の形態では、第三面板部１７ｃは屋内外方向に向けて細長い状態で中空状に構成されている。そして第三面板部１７ｃは、外壁Ｌのうち、支柱２の屋外側面２ｂの左右方向外側半部を覆蓋する状態で設けられる部位の窓部Ｗ側端縁部に対して左右方向内方に対向するよう間隙を存するよう配されたものになっている。
さらに側面板１７は、上下面板１５、１６に対して固定されるが、側面板１７の左右方向内側の上下両端部には、後述するブラケット本体部１３ａを固定支持するための固定金具１７ｄが側面板１７の屋外側端縁よりも屋外側に突出する状態で上下別体のものとして設けられているが、固定金具１７ｄとしてはこれに限定されず、例えば上下一体のものとしても実施できることは勿論である。
そしてこのようにして屋外側が開口した箱状体として形成された本体取付け部１２は、前記取付け部Ｖに対して、第一面板部１７ａを支柱（該部位の支柱が本発明の「縦枠部」に相当したものになっている。）２の屋内側面２ａ間に屋外側から挿入組み込みした状態で、前記固定金物５０、５０ａを介して上枠８、中間枠１０に取付け固定されるようになっている。
【００１２】
因みに、前記サッシ戸装置１１は、中間枠１０に固定される上枠部１１ａ、下枠９に固定される下枠部１１ｂ、左右支柱２に固定される縦枠部１１ｃを備えて構成されるが、上下枠部１１ａ、１１ｂには図示しないサッシ戸用のガイドレール１１ｄが設けられていることで該サッシ戸の開閉をするようになっており、このようなサッシ戸装置１１の構成についても従来通りである。
そして本実施の形態では、シャッター装置１のガイドレール６は、前記サッシ戸装置１１用の下枠部１１ｂ、左右縦枠部１１ｃの屋外側面に固定されるが、左右ガイドレール６の下端部間には水切り体６ａが設けられている。
さらにガイドレール６としては、本実施の形態のものは下枠部１１ｂまでの長さにしたものを実施しているが、これに限定されず、例えば下端部をさらに低くして下枠９側に固定するようにしたもの（あるいは左右幅広にして下枠（または左右支柱２）９に固定したもの）であってもよく、これらの構成は必要に応じで自由に設定することができる。この場合において、例えば下枠９に固定する場合、該下枠９の屋外側面に設けた外壁Ｌを固定金物が貫通することで固定したものとしての実施ができる。
【００１３】
一方、前記本体部１３は、左右両側に配されるブラケット本体部１３ａと、該ブラケット本体部１３ａに巻取りドラム４を支持するため設けられる駆動側、従動側の支持部１３ｂ、１３ｃと、巻取りドラム４に巻装されるシャッターカーテン５の左右ズレを矯正するため設けられるスラットガイド１３ｄと、左右ブラケット本体部１３ａを連結するためのアングル材１３ｅと、左右ブラケット本体部１３ａの下端部同士を連結する下片部１３ｌとを備えて構成されるが、そのうち支持部１３ｂ、１３ｃ、スラットガイド１３ｄはブラケット本体部１３ａにそれぞれ固定されている。また左右のブラケット本体部１３ａは、屋内外側両端部に位置する状態で上端部間同士が前記アングル材１３ｅを介して固定支持され、下端部間同士が下片部１３ｌを介して支持固定されることで一体化されたものとなっている。
前記駆動側支持部１３ｂには、開閉機７の駆動スプロケット７ａに動力伝動機構を構成する無端チエン７ｂを介して連動連結される入力スプロケット１３ｆが設けられ、開閉機７の動力を巻取りドラム４に伝動するようになっている。因みに開閉機７は、下片部１３ｌに支持されるように配されている。
また開閉機７としては、本実施の形態の外置き（独立配置）のものに限定されず、例えば巻取りドラム４に内装（内蔵）された方式のもの（従来公知であるのでその詳細については省略する。）等、従来公知の何れの構成のものを採用することができ、本発明はこれらに限定されないものであることは勿論である。そしてこのように開閉機内装型の巻取りドラムであった場合に、該巻取りドラムは、専用の支持部材を介してブラケット本体部１３ａに取付けられるものであることは言うまでもない。
【００１４】
前記ブラケット本体部１３ａは、前記本体取付け部１２を構成する側面板１７の第二面板部１７ｂに屋外側から当接（若しくは近接）した対向状態で設けられる横板面部（本発明の「第二面部」に相当する。）１３ｇを備えるが、該横板面部１３ｇは、左右方向内端縁部が巻取りドラム４に巻装されたシャッターカーテン５の左右方向外端縁部よりも左右方向内側に位置し、かつ左右方向外端縁部が前記第三面板部１７ｃよりも左右方向内側に位置（離間）すると共に、支柱２の屋外側面２ｂに対して第二面板部１７ｂをあいだに挟む状態で対向するよう配設されている。
さらに前記横板面部１３ｇの左右方向内端縁部には、第一面板部１７ａに対して左右方向内側に離間する位置において屋内側に向けて折曲した内側面部１３ｈが設けられ、該内側面部１３ｈの上端縁部に前記アングル材１３ｅが固定されたものになっている。
一方、横板面部１３ｇの左右方向外端縁部には、屋外側に向けて折曲した外側面部（本発明の「第三面部」に相当する。）１３ｉが設けられるが、該外側面部１３ｉに前記駆動側、従動側の支持部１３ｂ、１３ｃが設けられている。そして、このようにして設けられた支持部１３ｂ、１３ｃに左右両端部が支持される巻取りドラム４は、支柱２よりも屋外側に配されたものとなっているが、巻取りドラム４の左右両端縁部は、左右支柱２の内側面２ａよりも左右方向外方に位置する設定になっていて、左右支柱２の内側面２ａ間の対向間隔（対向幅、内幅）よりも左右方向に長く（幅広く）なるよう構成されている。
【００１５】
さらにまた、ブラケット本体部１３ａの横板面部１３ｇには第一の開口１３ｊが形成され、内側面部１３ｈには前記第一の開口１３ｊから続く状態で第二の開口１３ｋが形成されているが、第一開口１３ｊからは、外側面部１３ｉの左右方向内側面に固定された前記スラットガイド１３ｄの先半部が横板面部１３ｇを越えて屋内側に入り込むよう貫通している。
また前記巻取りドラム４に巻装されるシャッターカーテン５は、左右方向の幅が支柱２の内側面２ａ間の寸法（内幅寸法）よりも幅狭に設定されていて、該支柱屋外側面２ｂを越えて内側面２ａ側に入り込む配置設定にできるようになっているが、本実施の形態のシャッターカーテン５は、ブラケット本体部１３ａの内側面部１３ｈの対向間よりも幅広で、かつ巻取りドラム４に最も巻装されたときの外周部が横板面部１３ｇを越えて屋内側に入り込む設定になっており、このため巻取りドラム４に最も巻装された状態のシャッターカーテン５の外周部は、屋内側左右両端部位がブラケット本体部１３ａに干渉しないよう前記第一、第二の開口１３ｊ、１３ｋを貫通して屋内側に入り込む設定になっている。
【００１６】
そしてこのように構成される本体部１３は、前記取付け部Ｖに屋外側から組み込まれた本体取付け部１２に対して屋外側から組み付けられることになるが、この場合に本体部１３は、内側面部１３ｈが本体取付け部１２の第一面板部１７ａに左右方向に対向するよう遊嵌状に嵌入し、かつ横板面部１３ｇが第二面板部１７ｂに当接（または近接対向）する状態になるよう屋外側から組み込んだ状態で、本体取付け部１２の側面板１７の上下に設けた固定金具１７ｄに、ブラケット本体部１３ａの左右両端部の上部位に設けた固定片１３ｍを固定金物５０ｂを介して屋外側から固定することで本体取付け部１２に組み付けられる。
【００１７】
また外部カバー部１４は、正面板部（屋外側板部）１４ａと、左右側面板部１４ｂと、上面板部（天井板部）１４ｃとを備えて構成され、前記屋外側から組み付けられた本体部１３に対し、さらに屋外側から外嵌するよう組み付けられるものであるが、上面板部１４ｃの屋外側端縁部には上方に向けて折曲される状態で係止片１４ｄが設けられる一方、正面板部１４ａの下端縁部には屋内側に向けて折曲される状態で固定片１４ｅが設けられている。そして外部カバー部１４は、前記本体取付け部１２に組み付けられた状態の本体部１３に対し、上側が屋内側に偏倚する傾斜状態で係止片１４ｄを本体取付け部１２の係止受け部１５ｃに係止し、この係止を維持する状態で、外部カバー体１４を、前記傾斜状態から下側を屋内側に移動して起立したカバー姿勢にし、固定金物５０ｃを介してブラケット本体部１３ａに固定することで取付けられるようになっている。
【００１８】
叙述の如く構成された本実施の形態において、建造物の窓部Ｗにおいて、サッシ戸装置１１の屋外側を、窓部Ｗの左右両側に設けたガイドレール６に案内させたシャッターカーテン５の昇降移動により開閉することができる。この場合に、シャッターカーテン５が巻装される巻取りドラム４を支持したブラケット部３は、窓部Ｗの上方に配した取付け部Ｖに取付けられることになるが、該ブラケット部３は、本実施の形態では、取付け部Ｖに取付けられる本体取付け部１２と、該本体取付け部１２に取付けられる本体部１３とを備えたものとして構成され、しかも本体部１３は、巻取りドラム４の左右両端部が支持されるブラケット本体部１３ａを備えるが、該ブラケット本体部１３ａは、取付け部Ｖの四周枠のうちの左右縦枠部を構成している支柱２に対向する状態で組み付けられるものであって、支柱２の左右方向内側面２ａに対向する内側面部（本発明の「第一面部」）相当する。）１３ｈと、支柱２の屋外側面２ｂに対向し、左右方向外端縁部が支柱２の屋外側面２ｂの左右方向幅内に位置する横板面部（本発明の「第二面部」に相当する。）１３ｇと、該横板面部１３ｇの左右方向外端縁部から屋外側に向けて突出する外側面部（本発明の「第三面部」に相当する。）１３ｉとを備えたクランク状に折曲したものとして構成されている。
【００１９】
そしてこの場合にブラケット本体部１３ａは、横板面部１３ｇが支柱２の屋外側面２ｂに対向し、内側面部１３ｈが支柱２の内側面部２ａの対向間に入り込む（屋内側に入り込む、または嵌入する）状態で組み込まれているため、ブラケット本体部（本体部）１３ａの屋外側への突出量を抑えたものにすることができる。
しかもブラケット本体部１３ａは、前記屋外側への突出量を抑えたものにできながら、横板面部１３ｇの左右方向外端縁部、つまり支柱２における屋外側面２ｂの左右方向幅内位置から屋外側に突出するよう外側面部（本発明の「第三面部」に相当する。）１３ｉが設けられ、該外側面部１３ｉに前記巻取りドラム４が支持されているため、巻取りドラム４の左右幅を、巻取りドラム４を左右支柱２の内側面２ａ間に配した場合のように狭いものにする必要がなく広いものにでき、この結果、巻取りドラム４を、支柱２の屋外側面２ｂに対向する状態で組み付けたものにすることができることになって、窓部Ｗの有効開口幅を広いものとして確保できる。
【００２０】
しかこのものでは、シャッターカーテン５は、左右幅が支柱２の左右内幅寸法、つまり左右内側面２ａ間よりも幅狭になるよう設定されているから、該シャッターカーテン５を、前記左右支柱２の内側面２ａ間よりも幅広な巻取りドラム４に巻装されたものとしながら、左右支柱２には当接しない状態で屋内側に可及的に寄せた（必要において入り込ませた）状態での配設ができ、これによって、巻取りドラム４が設けられるブラケット部３の屋外側突出量を抑制しながら窓部Ｗの有効開口幅を広く確保できることになる。
【００２１】
さらにシャッターカーテン５は、巻取りドラム４に最も巻装されたときの外周部の屋内側端部が支柱２の屋外側面２ｂよりも屋内側に入り込むことができる寸法設定なっているため、シャッターカーテンを、支柱２の屋外側面２ｂに近接した位置、さらには左右縦枠の屋外側面よりも屋内側に入り込んだ位置にすることができ、これによりブラケット部３の屋外側突出量を、より抑制した状態で窓部の有効開口幅を広く確保できることになる。
【００２２】
またさらにブラケット部３としては、前記取付け部Ｖに屋外側から取付けられる本体取付け部１２と、該本体取付け部１２に屋外側から取付けられる本体部１３とを備えて構成され、しかも該本体部１３を構成するブラケット本体部１３ａは、支柱２の内側面２ａに対向する第一面部である内側面部１３ｈと、支柱２の外側面２ｂに対向する第二面部である横板面部１３ｇと、支柱外側面２ｂに対向する部位から屋外側に突出する第三面部である外側面部１３ｉとを備えていることから、本体部１３を構成するブラケット本体部１３ａは、前記第一、第二、第三の面部に相当する各面部１３ｈ、１３ｇ、１３ｉを有したものとしながら、取付け部Ｖに取付けられた本体取付け部１２に、これら面部を備えた本体部１３を屋外側から取付けることでよいことになり、この結果、ブラケット部３の組付けが容易になる。
【００２３】
またブラケット本体部１３ａに形成される内側面部１３ｈは、シャッターカーテン５の左右方向外端部よりも左右方向内側に配される一方、横板面部１３ｇは、シャッターカーテン５が巻取りドラムに最も巻装されたときの外周部の屋内側端部よりも屋外側に配され、内側面部１３ｈおよび横板面部１３ｇには、前記巻取りドラム４に巻き取られたシャッターカーテン５の外周部が入り込むための第一、第二の開口１３ｊ、１３ｋが形成されているため、巻取りドラム４に巻装されたシャッターカーテン５を、左右幅広にし、かつ屋内側に位置するようにして、窓部の有効開口幅の確保及びブラケット部３の屋外側突出量の抑制を図りながら、本体部１３を構成する内側面部１３ｈ、横板面部１３ｇに設けた第一、第二開口１３ｊ、１３ｋにシャッターカーテン５が入り込むことになって、内側面部１３ｈ、横板面部１３ｇに干渉することがないものにできる。
【産業上の利用可能性】
【００２４】
本発明は、住宅等の建造物の窓部に建て付けられる窓用のシャッター装置として利用することができる。
【符号の説明】
【００２５】
１  シャッター装置
２  支柱
２ａ  内側面
２ｂ  屋外側面
３  ブラケット部
４  巻取りドラム
５  シャッターカーテン
６  ガイドレール
１２  本体取付け部
１３  本体部
１３ａ  ブラケット本体部
１３ｇ  横板面部
１３ｈ  内側面部
１３ｉ  外側面部
１３ｊ  第一の開口
１３ｋ  第二の開口
Ｖ  取付け部
Ｗ  窓部
【図１】
2020029657.tif 000003
【図２】
2020029657.tif 000004
【図３】
2020029657.tif 000005
【図４】
2020029657.tif 000006
【図５】
2020029657.tif 000007
【図６】
2020029657.tif 000008
【図７】
2020029657.tif 000009
【図８】
2020029657.tif 000010
【図９】
2020029657.tif 000011
【図１０】
2020029657.tif 000012
【図１１】
2020029657.tif 000013
【図１２】
2020029657.tif 000014
【図１３】
2020029657.tif 000015
【図１４】
2020029657.tif 000016